(57)【要約】【課題】  収容する薄型テレビ等の板状品のサイズや厚みが変更しても汎用的に収容できるようにする。【解決手段】  全体が横長のプラスチック製段ボールで構成され、左右一対の底部材２・３からなる底部ＢＴと、該底部ＢＴ上に立設される左右一対の周壁部材４Ａ・４Ｂからなる周壁部ＳＷと、該周壁部ＳＷ上に嵌め被せられる左右一対の蓋部材５・６からなる蓋部ＣＰを有する。また、搬送用ボックス１は、その全体を外方から締め付ける外ベルト７・８および当該搬送用ボックス１内に収容されるテレビＴを前記底部ＢＴ上に敷設される底板１５の上側に固定するための内ベルト２４等を有する。【選択図】  図１
2020189658.tif 000002
【特許請求の範囲】
【請求項１】
底壁、左側壁および前後壁を有し、上側および右側が開口した左側底部材と、底壁、右側壁および前後壁を有し、上側および左側が開口した右側底部材と、右側底部材の左側開口と左側底部材の右側開口を対向させて両底部材が重ね合わされた状態で、これら底部材上に立設され、左右方向の幅が調整自在な一または複数の周壁部材と、上壁、左側壁および前後壁を有し、下側および右側が開口した左側蓋部材と、上壁、右側壁および前後壁を有し、下側および左側が開口した右側蓋部材とを備え、右側蓋部材の左側開口と左側蓋部材の右側開口を対向させて両蓋部材が重ね合わされた状態で、これら蓋部材が前記周壁部材上に被せられ、左右方向および前後方向に掛け渡たされる外ベルトによって、全体が締め付けられるようになされている、板状品等の搬送用ボックス。
【請求項２】
左右底部材および／または左右蓋部材に、それらのスライド範囲を規制するストッパ機構が設けられている、請求項１記載の板状品等の搬送用ボックス。
【請求項３】
左右の底部材上に立てて収容された板状品等に掛け渡されて、板状品を両底部材上に固定する内ベルトを更に有する、請求項１または請求項２記載の板状品等の搬送用ボックス。
【請求項４】
それぞれ重ね合わされた左右底部材および左右蓋部材の各前後壁内方にこれら壁と並行する保持壁が立設されて、該保持壁と前後壁との間に前記周壁部材の上下縁部分が嵌め入れられる底側溝部および蓋側溝部が形成されている、請求項１〜請求項３のうちのいずれか一項記載の板状品等の搬送用ボックス。
【請求項５】
底部材の底壁上に底板が敷設されている、請求項１〜請求項４のうちのいずれか一項記載の板状品等の搬送用ボックス。
【請求項６】
周壁部材が折り畳み自在な左右二部材構成であって、左側周壁部材および右側周壁部材の内部側面にそれぞれ緩衝材が取り付けられている、請求項１〜請求項５のうちのいずれか一項記載の板状品等の搬送用ボックス。
【発明の詳細な説明】
【技術分野】
【０００１】
本発明は、薄型テレビや画材等の板状品その他のものの梱包搬送に用いられるボックスに関する。
【背景技術】
【０００２】
薄型テレビは、通常、映像を映すディスプレイと放送を受信する受信機等が一体となった板状品であって、前記ディスプレイのサイズは、通常、１６インチ型程度の小型サイズから８０インチを超える大型サイズのものまであり、また縦横の比率も９：１６を標準として種々の比率のものが市販されている。
【０００３】
そして、このような多様なサイズの薄型テレビを搬送するためのボックスには、前述した種々のサイズに対応するための構造が要求される。
【０００４】
従来、薄型テレビを搬送するボックスとしては、テレビを梱包するための梱包体において、梱包対象のテレビを収納する柔軟かつ耐久性に優れた素材からなる全体がバッグ形状の外装体と、外装体の内側底部に配設され、当該外装体内に収納された梱包対象のテレビを支える底板とを有し、外装体の外面には、ベルト等の締結具および外装体部分を作業者が把持するための複数の取っ手を所定の配置で取り付けてなるものが知られている。
【０００５】
また、他のテレビ搬送用ボックスとしては、底壁と、底壁周縁から立ち上がる周壁と、底壁と周壁とで囲まれる収納空間の開口を閉塞可能な頂壁とからなる収納箱本体と、該収納箱本体の収納空間内に配置され、収納物を挟み込んで固定する複数の挟持体と、挟持体間の距離を調節可能な調節手段とを有する収納箱であって、 前記調節手段が長さ調節機能を有するベルトであり、該ベルトを、前記一対の挟持体並びに該挟持体間の収納物外面等に掛け渡し、ベルトの長さを調整することで、収納物を安定的に拘束するようにしたものも知られている。
【先行技術文献】
【特許文献】
【０００６】
【特許文献１】特開２００４−１７５４１８号公報
【特許文献２】特開２００７−２３０６１２号公報
【発明の概要】
【発明が解決しようとする課題】
【０００７】
前述した従来例のうち、前者のものは、外装体の内側底部にテレビを固定するための支持体や緩衝材が多数組み込まれる構造であったため、これら付属品の製作および組み込みに多大な手間と時間およびコストが必要となり、また前記組み込み位置の選択によって、僅かな位置調整ができるものの、前記外装体自体のサイズは変更できないため、梱包するテレビのサイズが大きく異なる場合には、一種類のものでは対応できず、複数種類のサイズが異なる外装体を準備する必要があった。
【０００８】
前述した従来例のうち、後者のものは、前述した一対の挟持体の間隔を調整することによって、テレビのサイズにある程度、対応可能であるが、一対の挟持体が収容されている収納箱本体の大きさは変更できないため、前記と同様、テレビのサイズが大きく異なる場合には、対応できないという不都合があった。
【０００９】
本発明の目的は、前述した種々の問題を一挙に解消することができる薄型テレビ等、板状品その他の搬送用ボックスを提供することにある。
【課題を解決するための手段】
【００１０】
請求項１記載の本発明は、底壁、左側壁および前後壁を有し、上側および右側が開口した左側底部材と、底壁、右側壁および前後壁を有し、上側および左側が開口した右側底部材と、右側底部材の左側開口と左側底部材の右側開口を対向させて両底部材が重ね合わされた状態で、これら底部材上に立設され、左右方向の幅が調整自在な一または複数の周壁部材と、上壁、左側壁および前後壁を有し、下側および右側が開口した左側蓋部材と、上壁、右側壁および前後壁を有し、下側および左側が開口した右側蓋部材とを備え、右側蓋部材の左側開口と左側蓋部材の右側開口を対向させて両蓋部材が重ね合わされた状態で、これら蓋部材が前記周壁部材上に被せられ、左右方向および前後方向に掛け渡たされる外ベルトによって、全体が締め付けられるようになされている板状品等の搬送用ボックスである。
【００１１】
本発明の搬送用ボックスが使用される板状品としては、種々のものが対象となり、前述した薄型テレビやパソコンのモニター、或はガラス扉、絵画といった広範囲のものが含まれ、また更に、このような板状品以外の物品を収納することもできる。
【００１２】
請求項２記載の本発明は、前記請求項１記載の板状品等の搬送用ボックスについて、左右底部材および／または左右蓋部材に、それらのスライド範囲を規制するストッパ機構が設けられていることを特徴とする。
【００１３】
請求項３記載の本発明は、前記請求項１または請求項２記載の板状品等の搬送用ボックスについて、左右の底部材上に立てて収容された板状品等に掛け渡されて、板状品を両底部材上に固定する内ベルトを更に有するものである。
【００１４】
請求項４記載の本発明は、前記請求項１〜請求項３のうちのいずれか一項記載の板状品等の搬送用ボックスについて、それぞれ重ね合わされた左右底部材および左右蓋部材の各前後壁内方にこれら壁と並行する保持壁が立設されて、該保持壁と前後壁との間に前記周壁部材の上下縁部分が嵌め入れられる底側溝部および蓋側溝部が形成されていることを特徴とする。
【００１５】
請求項５記載の本発明は、前記請求項１〜請求項４のうちのいずれか一項記載の板状品等の搬送用ボックスについて、底部材の底壁上に底板が敷設されていることを特徴とする。
【００１６】
請求項６記載の本発明は、前記請求項１〜請求項５のうちのいずれか一項記載の板状品等の搬送用ボックスについて、周壁部材が折り畳み自在な左右二部材構成であって、左側周壁部材および右側周壁部材の内部側面にそれぞれ緩衝材が取り付けられているものである。
【００１７】
なお、前述したいずれの搬送用ボックスも、プラスチック製段ボールやプラスチック製シート、或いは紙製段ボール等、種々の材料で構成することができる。
【発明の効果】
【００１８】
本発明に係る板状品等の搬送用ボックスは、前述した通り、底壁、左側壁および前後壁を有し、上側および右側が開口した左側底部材と、底壁、右側壁および前後壁を有し、上側および左側が開口した右側底部材とで底部が構成され、また上壁、左側壁および前後壁を有し、下側および右側が開口した左側蓋部材と、上壁、右側壁および前後壁を有し、下側および左側が開口した右側蓋部材とで蓋部が構成されているため、蓋部および底部のいずれについても、左右部材の嵌め合わせ状態で、これら部材同士をスライド調整することで、左右方向の長さを収容する板状品等のサイズに容易に対応させることができ、また前述した通り、周壁部材についても同様であるため、従来のように、収容する薄型テレビ等のサイズが種々大きく異なる場合でも、一つの当該ボックスですべて対応し得るという実用的利点を有する。
【００１９】
しかも本発明の搬送用ボックスは、前述した通り、左右の底部材と左右の蓋部材および周壁部材だけでボックス本体が形成され、これらと外ベルトのみで全体が構成されるため、従来に比べて組立てし易い。
【００２０】
また、左右の底部材上に立てて収容されたテレビ等の板状品に掛け渡されて、該板状品を両底部材上に固定する内ベルトを更に有する本発明の搬送用ボックスによれば、板状品の搬送時における該板状品の揺れ等の発生を簡単且つ確実に防止して搬送の安定性を更に高めることができる。
【００２１】
また、本発明の搬送用ボックスについて、それぞれ重ね合わされた左右底部材および左右蓋部材における前後壁の内方に底側溝部および蓋側溝部が形成されたものは、これらに前記周壁部材の上下縁が嵌め入れられるため、周壁部材の安定性が更に高められ、周壁の水平方向の移動が強固に阻止される。
【００２２】
また、底部材の底壁上に底板が敷設されている本発明の搬送用ボックスによれば、搬送作業者が当該ボックスを持ち上げた際の板状品の重量による底部の撓みが抑止され、搬送作業の効率がいっそう高められる。
【００２３】
更に、周壁部材が折り畳み自在な左右二部材構成であって、左側周壁部材および右側周壁部材の内部側面に緩衝材が取り付けられている本発明の搬送用ボックスによれば、折り畳み自在な周壁部材によって、板状品が囲まれ、またその両縁部に前記緩衝材が当接することで板状品の安定性と形態保持性がいっそう高められる。
【００２４】
また、前記各周壁部材は全て折り畳んで、底部と蓋部との間に収容して保管・移動できるため、当該ボックスの不使用時における取り扱い性や保管スペースの削減も可能となる等、種々の実用的利点を有する。
【図面の簡単な説明】
【００２５】
【図１】本発明の実施形態に係る搬送用ボックスの斜視図である。
【図２】同実施形態のボックスにおける両側底部材の最短状態を示す斜視図である。
【図３】図２の両側底部材を若干伸ばした状態の斜視図である。
【図４】同実施形態における底板とその上側の底側保持部材の斜視図である。
【図５】図４の底板と底側保持部材を底部材上に載置した状態の斜視図である。
【図６】同実施形態のボックスにおける両側蓋部材の最短状態を示す斜視図である。
【図７】図６の両側蓋部材を若干伸ばした状態の斜視図である。
【図８】同実施形態のボックスにおける周壁部材の斜視図である。
【図９】前記底板の上側の底側保持部材上に薄型テレビを固定した状態の斜視図である。
【図１０】図９と同様の状態でのボックス側部を示す斜視図である。
【図１１】図１０の薄型テレビの一側半部を一枚の周壁部材で囲んだ状態の斜視図である。
【図１２】薄型テレビの周囲を二枚の周壁部材で完全に囲んだ状態の斜視図である。
【図１３】薄型テレビを囲んだ周壁部材上に両側蓋部材を嵌め被せた状態の斜視図である。
【図１４】不使用時に底板上の底側保持部材上に、折り畳んで状態の周壁部材を収容して内ベルトで周壁部材を固定した状態の平面図である。
【図１５】図１４の状態から両側蓋部材を装着して外ベルトで縦横方向から締め付けた状態の斜視図である。
【発明を実施するための形態】
【００２６】
次に、本発明を板状品としての薄型テレビの搬送用ボックスに適用した場合の実施形態について図面にしたがって説明するが、本発明はかかる実施形態に限定されるものではない。
【００２７】
図１〜図８に示すように、本実施形態に係る搬送用ボックス１は、全体が横長のプラスチック製段ボールで構成され、左右一対の底部材２・３からなる底部ＢＴと、該底部ＢＴ上に立設される左右一対の周壁部材４Ａ・４Ｂからなる周壁部ＳＷと、該周壁部ＳＷ上に嵌め被せられる左右一対の蓋部材５・６からなる蓋部ＣＰを有する。また、搬送用ボックス１は、その全体を外方から締め付ける外ベルト７・８および当該搬送用ボックス１内に収容されるテレビＴを前記底部ＢＴ上に敷設される底板１５の上側に固定するための内ベルト２４等を有する。
【００２８】
より詳細には、図２および図３に示すように、搬送用ボックス１は、底壁２ａ、左側壁２ｂおよび前後壁２ｃ・２ｄを有し、上側および右側が開口した左側底部材２と、底壁３ａ、右側壁３ｂおよび前後壁３ｃ・３ｄを有し、上側および左側が開口した右側底部材３と、右側底部材３の左側開口と左側底部材２の右側開口を対向させて、左側底部材２上に右側底部材３が重ね合わされた状態で、これら底部材２・３上に立設される左右二枚の板状の周壁部材４Ａ・４Ｂと、上壁５ａ、左側壁５ｂおよび前後壁５ｃ・５ｄを有し、下側および右側が開口した左側蓋部材５と、上壁６ａ、右側壁６ｂおよび前後壁６ｃ・６ｄを有し、下側および左側が開口した右側蓋部材６とを備え、右側蓋部材６の左側開口と左側蓋部材５の右側開口を対向させて、右側蓋部材６の下面に左側蓋部材５が重ね合わされた状態で、これら蓋部材５・６が前記周壁部材４Ａ・４Ｂ上に被せられ、左右方向および前後方向に架け渡たされた外ベルト７・８によって、当該搬送用ボックス１全体が締め付けられるようになされている。
【００２９】
右側底部材３の前後壁３ｃ・３ｄには、左側底部材２の前後壁２ｃ・２ｄ内面に対向して設けられた方形板状のストッパ１１に係止される凹形切欠き１２がそれぞれ形成されることで、左側底部材２上を摺動する右側底部材３のスライド範囲が規制される。具体的には、右側底部材３が左側底部材２の真上に完全に重ね合わさった状態でストッパ１１の一端１１ａに前記凹形切欠き１２の一端縁１２ａが当接し、ストッパ１１の他端１１ｂに凹形切欠き１２の他端縁１２ｂが当接することで、左側底部材２上を摺動する右側底部材３の最大伸長が規制されるようになされている。
【００３０】
また、図４および図５に示すように、右側底部材３の底壁３ａの上面には、そのほぼ全長にわたって断面ハニカム強化構造の底板１５が載置され、更に該底板１５上には、断面凹形であって左右方向に伸びる底側保持部材１６が固着されており、その前後の保持壁１７と当該右側底部材３の前後壁３ｃ・３ｄとの間に前記周壁部材４Ａ・４Ｂの下縁部分を保持する底側溝部１４が形成されている。
【００３１】
この他、図１〜図３に示すように、左側底部材２の左側壁２ｂおよび右側底部材３の右側壁３ｂにはそれぞれ前後方向に間隔をあけて一対の手挿入用取っ手２１が設けられ、また左側底部材２の左側壁２ｂおよび右側底部材３の右側壁３ｂの中央下部には左右方向の前記外ベルト７が挿通されるベルトホルダー２２がリベットＲで固定され、また、左側底部材２の前後壁２ｃ・２ｄの外面先端寄り部分には前後方向の前記外ベルト８が挿通されるベルトホルダー２３がリベットＲで固定されている。
【００３２】
更に、図４および図５に示すように。右側底部材３の底壁３ａ上に載置された底板１５の両端寄り部分には該底板１５上の底側保持部材１６上に載置されるテレビＴを固定するための二本の内ベルト２４が挿通状に取り付けられ、内ベルト２４にはテレビＴの上縁に当接される板状のパット状の緩衝材２５が挿通されている。
【００３３】
図６および図７に示すように、左側蓋部材５の前後壁５ｃ・５ｄには、右側蓋部材６の前後壁６ｃ・６ｄの内面に対向して設けられた方形板状のストッパ３１に係止される凹形切欠き３２がそれぞれ形成されて、右側蓋部材６上を摺動する左側蓋部材５のスライド範囲が規制される。具体的には、左側蓋部材５が右側蓋部材５の真上に完全に重ね合わさった状態でストッパ３１の一端３１ａに凹形切欠き３２の一端縁３２ａが当接し、またストッパ３１の他端３１ｂに凹形切欠き３２の他端縁３２ｂが当接することで、右側蓋部材６上を摺動する左側蓋部材５の最大伸長が規制されるようになされている。
【００３４】
また、左側蓋部材５の上壁５ａの上面における先端寄り部分には、断面凹形であって左右方向に伸びる蓋側保持部材３３が固着されており、その前後の保持壁３４と当該左側蓋部材５の前後壁５ｃ・５ｄとの間に前記周壁部材４Ａ・４Ｂの上縁部分が嵌め入れられる蓋側溝部３５が形成されている。
【００３５】
図８に示すように、板状の周壁部材４Ａ・４Ｂは、左右一対のものであって、いずれも側壁部４ａと前後壁部４ｂとで構成され、所定の折曲線４ｃによって、折り畳み自在となされており、また前記側壁部４ａの内面にはテレビＴの側部に当接する板状の緩衝材３６が固着されている。そして、これら周壁部材４Ａ・４Ｂの上下縁部分は、前述した通り、対応する底側溝部１４と蓋側溝部３５内に嵌め入れられて当該周壁部材４Ａ・４Ｂの立設状態が維持されるようになされている。
【００３６】
次に、図１、図９〜図１３に示すように、本実施形態に係る搬送用ボックス１の使用方法について説明すると、底部ＢＴを構成する右側底部材３の底壁３ａ上の底板１５上面に固着された底側保持部材１６上にテレビＴを立てた状態で入れ、該テレビＴに二本の内ベルト２４を掛けて締め付けることで、テレビＴを右側底部材３上に固定する（図９、図１０）。また、この際、前記各内ベルト２４に挿通されているパット状の緩衝材２５をテレビＴの上縁に当接させることで、テレビＴの安定性が高められる。
【００３７】
次に、該テレビＴの左右長に対応するように、左側底部材２に対する右側底部材３のスライド位置を調整する。
【００３８】
その後、図１１および図１２に示すように、前述した左右二枚の周壁部材４Ａ・４Ｂを、それらの開口が対向した状態で各下縁部分を、前記底側溝部１４に嵌め入れて、テレビＴの周囲を二枚の周壁部材４Ａ・４Ｂで囲むことにより、周壁部ＳＷを構築する。
【００３９】
次に、図１３に示すように、前記周壁部材４Ａ・４Ｂの上方から蓋部ＣＰとなる前記蓋部材５・６を被せると共に、これら蓋部材５・６の蓋側溝部３５に前記周壁部材４Ａ・４Ｂの各上縁部分を嵌め入れることで該周壁部材４Ａ・４Ｂ上に蓋部材５・６を装着する。
【００４０】
その後、図１に示すように、前記外ベルト７・８を当該搬送ボックス１の前後左右に掛け渡して左右底部材２・３からなる底部ＢＴ、周壁部材４Ａ・４Ｂからなる周壁部ＳＷおよび左右蓋部材５・６で構成される蓋部ＣＰを締め付けることで、最終的にテレビＴが当該搬送用ボックス１内に安定的に梱包・収容された状態となる。
【００４１】
また、図１４および図１５に示すように、当該搬送ボックス１を使用しないときには、右側底部材３内に敷設されている底板１５上の底側保持部材１６上に、折曲線４ｃで折り畳み状態とした二枚の周壁部材４Ａ・４Ｂを積み重ねて内ベルト２４で底側保持部材１６上に固定した後、蓋部材５・６からなる蓋部ＣＰを被せた上、前後方向の外ベルト７・８を掛けて締め付けることで、全体が収縮状態の当該搬送ボックス１を小さく纏めておくことができる。
【産業上の利用可能性】
【００４２】
本発明に係る搬送用ボックスは、前述した通り、薄型テレビやパーソナルコンピュータのモニター等の板状品等について、それらの種々のサイズに広範囲に対応して収容可能であり、また組立も保管も容易であるため、幅広い利用が期待できる。
【符号の説明】
【００４３】
１  搬送用ボックス
ＢＴ  底部
ＳＷ  周壁部
ＣＰ  蓋部
２  左側底部材
２ａ  左側底部材の底壁
２ｂ  左側底部材の左側壁
２ｃ  左側底部材の前壁
２ｄ  左側底部材の後壁
３  右側底部材
３ａ  右側底部材の底壁
３ｂ  右側底部材の右側壁
３ｃ  右側底部材の前壁
３ｄ  右側底部材の後壁
４Ａ・４Ｂ  周壁部材
５  左側蓋部材
５ａ  左側蓋部材の底壁
５ｂ  左側蓋部材の左側壁
５ｃ  左側蓋部材の前壁
５ｄ  左側蓋部材の後壁
６  右側蓋部材
６ａ  右側蓋部材の底壁
６ｂ  右側蓋部材の左側壁
６ｃ  右側蓋部材の前壁
６ｄ  右側蓋部材の後壁
７・８  外ベルト
【図１】
2020189658.tif 000003
【図２】
2020189658.tif 000004
【図３】
2020189658.tif 000005
【図４】
2020189658.tif 000006
【図５】
2020189658.tif 000007
【図６】
2020189658.tif 000008
【図７】
2020189658.tif 000009
【図８】
2020189658.tif 000010
【図９】
2020189658.tif 000011
【図１０】
2020189658.tif 000012
【図１１】
2020189658.tif 000013
【図１２】
2020189658.tif 000014
【図１３】
2020189658.tif 000015
【図１４】
2020189658.tif 000016
【図１５】
2020189658.tif 000017